(57)【特許請求の範囲】
【請求項１】
上部ユニットと、下部ユニットと、前記上部ユニットと前記下部ユニットとを支持して、前記下部ユニットと前記上部ユニットとの間にパチンコ遊技機を、遊技場の壁を背にして１列に、もしくは、背中合わせに２列に配置する空間を形成する少なくとも２本の柱ユニットと、から構成する遊技機島ユニットにおいて、
前記柱ユニットは、長手方向所定間隔を隔てて遊技場床に起立固定してあり、
前記下部ユニットは、隣接する前記柱ユニット間に、遊技場の壁と対向させ、もしくは、遊技場幅方向に互いに対向させて架設支持した腰板を含めて構成してあり、
当該遊技場の壁、もしくは、対抗する腰板との間に、前記パチンコ遊技機から排出されたアウト玉を長手方向に転動搬送する搬送経路を配してあり、
前記腰板は、座っている遊技客が爪先を入れられるだけの爪先空間もしくは爪先切欠をその下端と遊技場床面との間に隔てた状態で支持してあり、
対向状態にある前記腰板間の中間位置には、長手方向に伸びて前記爪先空間の間を二分する仕切り板を配してある
ことを特徴とする遊技機島ユニット。
【請求項２】
前記柱ユニットは、遊技機島幅方向に並ぶ一対の縦柱を含めて構成してあり、
前記縦柱は、隣接する他の縦柱との間で前記腰板を挟んだ状態で支持する腰板支持構造を含めて構成してある
ことを特徴とする請求項１記載の遊技機島ユニット。
【請求項３】
前記腰板支持構造は、前記腰板の端面と対向する腰板対向部と、前記腰板対向部の周縁から前記腰板裏面に沿って突出する腰板支持部と、を含めて構成してあり、
当該腰板支持部には、前記腰板に形成した凸部又は凹部と取り外し可能に凹凸嵌合して前記腰板を当該縦柱に仮留めする凹部又は凸部をその上部に形成してあり、かつ、仮留めした前記腰板をネジ固定するためのネジ孔群を当該凹部又は凹部の下方に形成してある
ことを特徴とする請求項２記載の遊技機島ユニット。
【請求項４】
前記下部ユニットは、前記パチンコ遊技機を載せるために長手方向に伸びる膳板を含めて構成してあり、
前記膳板は、前記縦柱から遊技客に向かって突き出る膳板支持片の上に架設固定してあり、
前記膳板は、遊技者に面する端面である前面が、前記パチンコ遊技機前面と面一若しくは前記パチンコ遊技機前面に対して前記パチンコ遊技機の最大突起部よりも少ない突起量となるように構成してある
ことを特徴とする請求項２又は３記載の遊技機島ユニット。
【請求項５】
前記膳板下面の前記パチンコ遊技機下方にあたる位置に、煙草の吸殻を内蔵する搬送機構の作用により搬送するケーシングを前記膳板の長手方向に渡って設けてあり、
当該ケーシングには前記パチンコ遊技機各々に対応する吸殻投入口を設けてあり、
当該ケーシング末端は、搬送した煙草の吸殻を回収する吸殻回収装置本体に接続可能に構成してある
ことを特徴とする請求項４記載の遊技機島ユニット。
【請求項６】
前記下部ユニットは、長手方向に伸びる前記パチンコ遊技機を載せるための膳板を含めて構成してあり、
前記膳板は、前記縦柱から遊技客に向かって突き出る膳板支持片の上に架設固定してあり、
前記膳板下面の前記パチンコ遊技機下方にあたる位置に、煙草の吸殻を内蔵する搬送機構の作用により搬送するケーシングを前記膳板の長手方向に渡って設けてあり、
当該ケーシングには前記パチンコ遊技機各々に対応する吸殻投入口を設けてあり、
当該ケーシング末端は、搬送した煙草の吸殻を回収する吸殻回収装置本体に接続可能に構成してある
ことを特徴とする請求項２又は３記載の遊技機島ユニット。
【発明の詳細な説明】
【技術分野】
【０００１】
本発明は、複数の遊技機を、壁を背にして一列に、もしくは、背中合わせに２列に設置した遊技機島ユニットに関する。
【背景技術】
【０００２】
特許文献１には、複数の遊技機を２列背中合わせに設置した遊技機島（第１の従来島）が開示されている。第１の従来島は、遊技機島の長手方向に長い床固定取付ベースと、床固定取付ベースの上に固定された上部開放箱型のベース部材と、ベース部材上部の長手方向にそれぞれ長い２筋の遊技機載置板（膳板）と、遊技機載置板それぞれの上に重ねた短幅遊技機載置板（通称、「ひな壇」）と、短幅遊技機載置板それぞれの上に背中合わせに並べられた遊技機群と、遊技機島の上部を支える上部補強用支柱群と、を備えている。遊技機載置板各々の支持は、それぞれ長手方向所定間隔ごとに取り付けた三角形の遊技機載置板補強板によってベース部材の両方の側面板（腰板）に対して行われる。ベース部が上部開放箱型になっているのは、従来と同じ強度を保ちながら島幅を狭く（約１８０〜２２０ｍｍ）するためとの説明がなされている。島幅を狭くするのは、遊技客が楽に長時間の遊技を楽しめるようにするためである。すなわち、島幅が広いと充分な足下スペースがとれず、このため島から離れて座らなければ膝を伸ばせなかった遊技客が、狭くすればその分だけ足下スペースが広がるため離れなくても膝が伸ばせるようになるからである。
【０００３】
そもそも側面板を用いないとする技術思想もある（特許文献２参照）。特許文献２が開示する遊技機島（第２の従来島）では、遊技客の下肢の収容可能な空間を遊技機下側に確保するために、台間貯留部を支持する支持部材を遊技場の床から立ち上がるようにして設置してある。貯留部を遊技機と遊技機の間の領域、すなわち台間に配したので貯留部を覆う腰板を省略して遊技機の下側に下肢収容のための空間を確保しようとするものである。一言で言うなら、高床式の遊技機島である。
【０００４】
特許文献３には、遊技機島に設置された吸殻回収装置が開示されている。吸殻回収装置は、遊技機群下部から前にせり出し遊技機島の長手方向に長いテーブル（膳板）の下面の長手方向ほぼ全域に伸びるケーシングを、その主要部材とする。ケーシング内部とテーブル上部領域とは、テーブルに設けられた灰皿の孔を介して繋がっていて、灰皿に投入された煙草の吸殻は、この孔を介してケーシング内に受け入れられるようになっている。ケーシング内には、受け入れた吸殻を島端の回収容器まで搬送するためのスクリューコンベアが回転可能に収容されている。スクリューコンベアの代わりにベルトコンベアなどが用いられることもある（特許文献４参照）。
【先行技術文献】
【特許文献】
【０００５】
【特許文献１】特許第４０６０５６９号公報（段落０００７〜００１７、００２５、図１〜３参照）
【特許文献２】特開２００９−２９１３８３号（段落００６４、図１参照）
【特許文献３】特開２００７−４４２９４号公報（段落００２３〜００２５、図１、５参照）
【特許文献４】特願平９−１１５５７５号公報（図１、２参照）
【発明の概要】
【発明が解決しようとする課題】
【０００６】
しかしながら、第１の従来島では、仮に島幅を１８０ｍｍにまで狭く出来たとしても、遊技客は充分に膝を伸ばすことができず相変わらず窮屈な状態で座り続けなくてはならない。その様子を図１０に示す。同図に示す遊技機島１００１の腰板１００３，１００３間の距離（島幅）は１８０ｍｍ、遊技客の身長は日本人男性の平均身長とほぼ等しい１７０ｃｍ前後を想定して描いてある。遊技客の腿Ｍは膳板１００５の開放端すれすれに座ったときの遊技客の膝Ｎの角度は、椅子の高さにもよるが９０度を少し上回る程度である。椅子を下げれば、その角度はもっときつくなるし、膳板１００５があるため椅子をこれ以上高くすることもできない。以上から分かるとおり、遊技客が膝Ｎを充分に伸ばせないこと、これが、第１の課題である。
【０００７】
この状態は、従来の技術の説明に用いた特許文献３や４が示す吸殻回収装置を設置した場合はさらに悪くなる。図１０に１点鎖線で示すケーシング１００７は、図外の吸殻回収装置の一部であるが、このケーシング１００７の高さ寸法は膳板１００５の下面から概ね６０〜７０ｍｍほどある。したがってこの場合、遊技客は膝Ｎをぶつけないように１点鎖線で示す位置まで遊技機島１００１（膳板１００５）から離れて遊技しなければならない。離れた状態で遊技することは離れた分だけ前かがみ若しくは腕を伸ばした状態で遊技しなければならず、この状態は特許文献１の指摘を再掲するまでもなく遊技客を疲れさせてしまうことが明らかである。以上から分かるとおり、吸殻回収装置を設けた場合であっても遊技機島から離れずに遊技出来るようにすること、これが第２の課題である。
【０００８】
一方、第２の従来島によれば、高床式によって生じる遊技機下方の空間は遊技機島を挟んで座る向かい側の遊技客の下肢を収容するための空間と繋がっている。このため、向かい合った遊技客は互いに下肢同士、極端に言えば膝同士を向かい合わせた状態で座ることになる。また、繋がっているため風通しもよい。この結果、向かい合った遊技客同士、もしくは遊技機島裏側の通路を通る遊技客や従業員との間のプライバシー尊重の点で不都合が生じる恐れがある。さらに、遊技場入口付近や冷房が直接当たるところなどは、風通しが良すぎてかえって遊技者の下肢が冷えてしまう、という懸念もある。冷房が利いている夏のオフィスで膝掛けをかけて冷えを防ぐということを遊技場でも行わなくてはならなくなってしまう。以上から分かるとおり、遊技者のプライバシーを確実に確保すること、冷えを防止すること、これらが第３の課題である。
【０００９】
以上まとめると、本発明の目的は、上述した第１ないし第３の課題を解決することにある。すなわち、遊技客が膝をできるだけ伸ばして遊技できるようにすること、吸殻回収装置を設けた場合でも遊技機島から離れずに遊技客が遊技できるようにすること、さらに、遊技者のプライバシーを確保し冷えを防ぐことが本発明の目的である。
【課題を解決するための手段】
【００１０】
上記課題を解決するために本発明は、向かい合わせの遊技者等との間のプライバシーを尊重するとともに過度の冷えを防ぐために腰板を備えている。また、その腰板の下端と床面の間の爪先空間に爪先を入れられるように構成することで遊技者の膝をより伸ばせるようにし、上述した本発明の課題を解決した。その詳しい内容については項を改めて説明する。なお、いずれかの発明の説明をするに当たって行う用語の定義等は、その記載順その他に関わらず他の発明にも適用されるものとする。
【００１１】
（請求項１記載の発明の特徴）
請求項１記載の発明に係る遊技機島ユニット（以下、「請求項１のユニット」という）は、上部ユニットと、下部ユニットと、前記上部ユニットと前記下部ユニットとを支持して、前記下部ユニットと前記上部ユニットとの間にパチンコ遊技機を、壁を背にして１列に、もしくは、背中合わせに２列に配置する空間を形成する少なくとも２本の柱ユニットと、から構成する。この構成において、前記柱ユニットは、長手方向所定間隔を隔てて遊技場床に起立固定してあり、前記下部ユニットは、隣接する前記柱ユニット間に幅方向対向状態で架設支持した腰板を含めて構成してある。そして、当該遊技場の壁、もしくは、対抗する腰板との間に、前記パチンコ遊技機から排出されたアウト玉を長手方向に転動搬送する搬送経路を配してある。ここで、前記腰板各々は、座っている遊技客が爪先を入れられるだけの爪先空間もしくは爪先切欠をその下端と遊技場床面との間に隔てた状態で支持してある。さらに、対向状態にある前記腰板間の中間位置には、長手方向に伸びて前記爪先空間の間を二分する仕切り板を配してある。仕切り板は、床から起立させるのが一般的であるが、柱ユニットに架設するようにしてもよい。請求項１のユニットは、通路に挟まれた中島に適用される。
【００１２】
請求項１のユニットによれば、遊技場の床に起立固定した（複数の）柱ユニットが上部ユニットと、下部ユニットを支持し、上部ユニットと下部ユニットの間に遊技機群を配置する空間を形成する。したがって、下部ユニットは、遊技機群の下方領域に位置することになる。爪先空間もしくは爪先切欠は、遊技機島（の腰板間の空間）内に遊技客の爪先を差し入れることを許し、差し入れた分だけ遊技客は膝を伸ばすことができる。爪先の長さは個人差があるものの、おおむね２０ｃｍ前後であり、これによる膝角度の広がりは５度前後である。この差はたいへん大きく、その快適さは飛行機のエコノミークラスとビジネスクラスとの違いに匹敵する。したがって、爪先空間もしくは爪先切欠に爪先を差し入れることができる遊技客は、差し入れることができない遊技客に比べ、はるかに快適で疲れを知らずに遊技を楽しむことができる。なお、請求項１のユニットを、中島に適用した場合の柱ユニット間に架設した腰板は、座った時に向かい側に座る遊技客などとの間のプライバシーを確保するとともに、過度の通風を抑えて膝の冷えなどを防止する機能も果たす。さらに、仕切り板の存在により向かい合った遊技者（の爪先）同士のプライバシーをより完全に確保することができる。また、仕切り板がないとする場合に、一方側の遊技者が落としたパチンコ玉が転がって向かい側の通路に行ってしまうことが考えられるが、そのパチンコ玉の数の多少に関わらずパチンコ玉を失くすことは遊技者心理に悪影響を与えせっかくの遊技を台無しにしてしまうおそれがある。そこで仕切り板があれば、そのような事態を未然に防ぐことができる。つまり、この仕切り板は、遊技者にとっても、遊技場経営者にとっても、大変意義のある存在となっている。
【００１３】
（請求項２記載の発明の特徴）
請求項２記載の発明に係る遊技機島ユニット（以下、「請求項２のユニット」という）は、請求項１のユニットであって、前記柱ユニットは、遊技機島幅方向に並ぶ一対の縦柱を含めて構成してあり、前記縦柱は、隣接する他の縦柱との間で前記腰板を挟んだ状態で支持する腰板支持構造を含めて構成してある。
【００１４】
請求項２のユニットによれば、請求項１のユニットの作用効果に加え、腰板の位置が遊技客の膝よりさらに遠くなるので、その分、遊技客にとってより快適な遊技環境をつくりだすことができる。すなわち、隣接する縦柱同士は、その間に腰板を挟んだ状態で支持するため、腰板の前面（遊技者側の面）が縦柱の遊技者側周縁から突出しない、もしくは突出しても腰板の厚みに比べて僅かしか突出しない。このため、遊技機島の腰下領域を最大限、遊技客の下肢収容のために活用することができる。一方、この構成を縦柱側から見ると、縦柱は長手方向に隣接する腰板の側端面同士により挟持されていることになる。腰板と腰板による挟持によって縦柱が補強されることになり、結果としてその分だけ遊技機島幅方向の縦柱の幅寸法を短くすることができる。つまり、細い縦柱で足りることになり、縦柱が細くなった分、遊技機島の腰下領域を広くすることができる。
【００１５】
（請求項３記載の発明の特徴）
請求項３記載の発明に係る遊技機島ユニット（以下、「請求項３のユニット」という）は、請求項２のユニットであって、前記腰板支持構造は、前記腰板の端面と対向する腰板対向部と、前記腰板対向部の周縁から前記腰板裏面に沿って突出する腰板支持部と、を含めて構成してある。ここで、当該腰板支持部には、前記腰板に形成した凸部又は凹部と取り外し可能に凹凸嵌合して前記腰板を当該縦柱に仮留めする凹部又は凸部をその上部に形成してあり、かつ、仮留めした前記腰板をネジ固定するためのネジ孔群を当該凹部又は凹部の下方に形成してある。腰板に凸部を設けた場合はこれと嵌合する凹部を、これとは逆に、腰板に凹部を設けた場合は凸部を、それぞれ腰板支持部に形成する。
【００１６】
請求項３のユニットによれば、請求項２のユニットの作用効果に加え、腰板と腰板支持部との間の凹凸嵌合により、腰板を腰板支持部に仮留めすることができる。この機能により、腰板を効率よく腰板支持部にネジ固定することができる。すなわち、縦柱間に挟まれた（下端が床に着いていない）腰板を仮留めすれば、取付作業員は腰板を持っている必要がなくなるので両手をネジ固定の作業に振り向けることができる。したがって、腰板取付の作業効率を格段に高めることができる。腰板を他の作業者に持ってもらい、その状態でネジ固定することもできるが、これでは作業員が２人必要となり労働効率が悪い。この仮留め機能があることによって、１人作業が可能になる。
【００１７】
（請求項４記載の発明の特徴）
請求項４記載の発明に係る遊技機島ユニット（以下、「請求項４のユニット」という）は、請求項２又は３のユニットであって、前記下部ユニットは、前記パチンコ遊技機を載せるために長手方向に伸びる膳板を含めて構成してあり、前記膳板は、前記縦柱から遊技客に向かって突き出る膳板支持片の上に架設固定してあり、前記膳板は、遊技者に面する端面である前面が、前記パチンコ遊技機前面と面一若しくは前記パチンコ遊技機前面に対して遊技機の最大突起部よりも少ない突起量となるように構成してある。
【００１８】
請求項４のユニットによれば、請求項２又は３のユニットの作用効果に加え、膳板を遊技機の最大突起部よりも後退した状態にすることにより、その後退した分だけ遊技客が自由な空間を手に入れることができる。つまり、存在したらぶつかるであろう膳板がないので、そこに膝がぶつかることもなくなる。したがって、遊技客は椅子に座って足を組むことも組み替えることもできる。ゆえに、同じ姿勢を取り続けることの苦痛から解放され、遊技客はより快適に遊技を楽しむことができる。
【００１９】
（請求項５記載の発明の特徴）
請求項５記載の発明に係る遊技機島ユニット（以下、「請求項５のユニット」という）は、請求項４のユニットであって、前記膳板下面の前記パチンコ遊技機下方にあたる位置に、煙草の吸殻を内蔵する搬送機構の作用により搬送するケーシングを前記膳板の長手方向に渡って設けてあり、当該ケーシングには前記パチンコ遊技機各々に対応する吸殻投入口を設けてあり、当該ケーシング末端は、搬送した煙草の吸殻を回収する吸殻回収装置本体に接続可能に構成してある。吸殻投入口は、ケーシングに開けた孔でもよいし、その孔に連通するノズルなどを介したものでもよい。
【００２０】
請求項５のユニットによれば、請求項４のユニットの作用効果に加え、腰板を遊技者から遠くしてあるので（請求項２のユニット）、膳板の下で腰板の前に遊技者の膝が届かない領域が存在している。膝が届かないので、この領域であればケーシングを設けることができる。遊技者はケーシングに膝をぶつけないので、ケーシングを設けても遊技者の負担となることはない。吸殻投入口を介してケーシング内に投入された煙草の吸殻は搬送機構によって末端に搬送され、そこに接続された吸殻回収装置本体により回収される。
【００２１】
（請求項６記載の発明の特徴）
請求項６記載の発明に係る遊技機島ユニット（以下、「請求項６のユニット」という）は、請求項２又は３のユニットであって、前記下部ユニットは、長手方向に伸びる前記パチンコ遊技機を載せるための膳板を含めて構成してあり、前記膳板下面の前記パチンコ遊技機下方にあたる位置に、煙草の吸殻を内蔵する搬送機構の作用により搬送するケーシングを前記膳板の長手方向に渡って設けてあり、当該ケーシングには前記パチンコ遊技機各々に対応する吸殻投入口を設けてあり、当該ケーシング末端は、搬送した煙草の吸殻を回収する吸殻回収装置本体に接続可能に構成してある。
【００２２】
請求項６のユニットによれば、請求項２又は３のユニットの作用効果に加え、腰板を遊技者から遠くしてあるので（請求項２のユニット）、膳板の下で腰板の前に遊技者の膝が届かない領域が存在している。膝が届かないので、この領域であればケーシングを設けることができる。遊技者はケーシングに膝をぶつけないので、ケーシングを設けても遊技者の負担となることはない。吸殻投入口を介してケーシング内に投入された煙草の吸殻は搬送機構によって末端に搬送され、そこに接続された吸殻回収装置本体により回収される。
【発明の効果】
【００２３】
本発明によれば、遊技客が膝をできるだけ伸ばして遊技できるようにすること、吸殻回収装置を設けた場合でも遊技機島から離れずに遊技客が遊技できるようにすること、さらに、遊技者のプライバシーを確保し冷えを防ぐことができる。
【図面の簡単な説明】
【００２４】
【図１】遊技機島ユニットの斜視図である。
【図２】遊技機島ユニットの側面図である。
【図３】柱ユニットの側面図である。
【図４】柱ユニットの部分拡大側面図である。
【図５】図４に示す柱ユニットのＡ−Ａ断面図である。
【図６】遊技機島ユニットの組み立て工程を示す斜視図である。
【図７】遊技機島ユニットの組み立て工程を示す斜視図である。
【図８】遊技機島ユニットの使用状態を示す側面図である。
【図９】壁島に適用した遊技機島ユニットの側面図である。
【図１０】従来の遊技機島ユニットの側面図である。
【発明を実施するための形態】
【００２５】
以下、各図を基に本発明を実施するための最良の形態（以下、適宜「本実施形態」という）について説明する。遊技機島ユニット１は、遊技機（図を見やすくするため省略）を背中合せに二列に配置して構成してある。本明細書では、この遊技機を二列に配置して遊技場の中程部分において通路に挟まれて設置する遊技機島を中島といい、遊技場の壁に背を向け遊技機を一列配置して構成する遊技機島を壁島という。本発明に係る遊技機島ユニットは、中島および壁島の何れにもその一部として適用することができる。以下の説明は、まず中島について行い、その後で壁島について触れる。なお、本実施形態における遊技機は、パチンコ機である。
【００２６】
（遊技機島ユニットの概略構成）
図１および２に示すように、遊技機島ユニット１は、上部ユニット３００と、下部ユニット１００と、上部ユニット３００と下部ユニット１００とを支持して、下部ユニット１００と上部ユニット３００との間に遊技機を配置する空間を形成する柱ユニット２００と、から概ね構成してある。各ユニットについて、次項以下で説明する。
【００２７】
（下部ユニットの構成）
下部ユニット１００は、腰板１０４と、膳板ユニット１０８（幅広膳板１１２、幅狭膳板１１６）、仕切板１２０と、から構成してある。これらの部材のうち仕切板１２０を除いたものは、後述する柱ユニット２００によって支持されるようになっている。腰板１０４は、その素材の種類を問わないが、本実施形態では木材小片を接着剤と混合して熱圧成型した厚さ２５ｍｍの木質ボード（パーティクルボード）の両面にそれぞれ厚さ４ｍｍのポリ合板を張り合わせたものを採用した。強度や価格の面から好適と考えられるからである。厚さは状況に応じて適宜増減してよい。また、複数の部材により構成された複合合板を採用してもよい。本実施形態における腰板１０４は、外形寸法は、縦４５０ｍｍ〜５５０ｍｍ前後、横１２００ｍｍ〜１３００ｍｍ前後、厚さ３０ｍｍ前後に設定した。なぜなら、爪先空間Ｇを形成するためである。この目的範囲内であれば、腰板１０４の縦寸法を上記以外の寸法に設定してもよい。
【００２８】
腰板１０４の縦寸法は、上述したように４５０ｍｍ〜５５０ｍｍ前後に設定することが好ましい。柱ユニット２００が支持した腰板１０４の下端を遊技場の床面Ｆから１０ｍｍ〜１５ｍｍほど浮かすことにより、腰板１０４の下端面と床面Ｆとの間に爪先空間Ｇを形成するためである。つまり、遊技機（図示を省略）の位置は遊技客との相対位置により決まるので、これに伴い遊技機の下方に位置する腰板１０４の上端の位置も決まる。したがって、爪先空間Ｇを形成するためには、これに合わせて腰板１０４の縦寸法を決める必要があり、その結果、上記した縦寸法になった。爪先空間Ｇは、その中に爪先を入れられるようにすることによって、入れた分だけ遊技客が膝を伸ばすことができるようにするための空間である。図示は省略するが、その下端が床面Ｆにまで届く、もしくは、床面Ｆとの間に爪先が入らないほどの空間を形成する縦寸法に設定した腰板１０４の下端部の一部を切り欠くことにより爪先切欠（図示を省略）を形成してもよい。爪先切欠も爪先空間Ｇと同様に、遊技客が爪先を入れて膝を伸ばせるようにするためのものである。
【００２９】
腰板１０４の厚みは、素材の持つ強度との相対関係にあるが、ラワン合板を用いた場合、たとえば、３０ｍｍ前後が適当である。ラワン合板その他の板材や複合合板を金属などにより補強すれば、同じ強度を持った薄手の板材を使用することもできる。本実施形態では、後述する柱ユニット２００の補強作用との兼ね合いなどにより３０ｍｍ前後とした。この点は、柱ユニット２００との関係の中で改めて説明する。
【００３０】
膳板ユニット１０８は、比較的幅広（たとえば、２５０ｍｍ前後）な板材からなる幅広膳板１１２と、幅広膳板１１２の上にネジ固定してひな壇を形成する幅狭膳板１１６とから構成してある。幅狭膳板１１６は、遊技機の枠板（図示を省略）の奥行き寸法１．５倍程度の幅寸法を有し、幅広膳板１０６に比べて幅狭たとえば、１５０ｍｍ前後）の板材により構成してある。なお、幅広膳板１１２と幅狭膳板１１６の厚みは、いずれも２４ｍｍ前後とするのが一般的である。
【００３１】
仕切板１２０は、対向する腰板１０４下の爪先空間Ｇどうしの繋がりを遮断するための板である。仕切り板１２０は、向かい合った爪先空間Ｇ同士の関係を遮断することにより、向かい合った遊技者（の爪先）同士のプライバシーをより完全に確保することができる。これにより遊技客は、安心して遊技に集中することができ、その効果はきわめて高い。本実施形態の仕切板１２０は、ボルト（図示を省略）などの固定部材により床面Ｆに直接固定してあるが、この他の方法、たとえば、柱ユニット２００に支持させるようにしてもよい。なお、仕切板１２０の下端面は床面Ｆに密着させる必要は必ずしもないが、隙間を開けるとしても、その隙間は遊技媒体（遊技機が、たとえばパチンコ機である場合のパチンコ玉）が通過できない隙間にするとよい。このような隙間にすることで、パチンコ玉を失くすことが防げるので遊技者心理に悪影響を与えないで済む。したがって、遊技を台無しにしてしまうおそれがなくなる。
【００３２】
(柱ユニットの構成)
図１〜３を参照しながら、柱ユニットについて説明する。柱ユニット２００は、全体として金属（たとえば、鉄）を２枚合わせした薄板により基本的な構成がなされ、必要に応じて部分的に曲げたり他の部材を溶接やネジなどの固定方法により固定する。なお、柱ユニット２００の厚み方向は、遊技機島ユニット１の長手方向と一致する。また、薄板の代わりにパイプ材などを使うことも可能である。
【００３３】
さらに、柱ユニット２００は、遊技機島幅方向（図３の左右方向）に並ぶ一対の縦柱２０４，２０４を基幹部材とする。一方の縦柱２０４と他方の縦柱２０４とは、複数（本実施形態では３本）の中間連結材２０８ａ，２０８ｂ，２０８ｃと、下端連結材２１０と、により互いに連結してある。連結したときの縦柱２０４，２０４の外側端面間の距離Ｄは、本実施形態において３００ｍｍ前後としてある。距離Ｄは、これを狭くすればするほど、遊技客の下肢を入れるためのスペースが広くなることになるが、遊技機島ユニット１の中には、たとえば、パチンコ玉貯留タンクのような装置や、パチンコ遊技機から排出されたアウト玉を転動搬送するための搬送経路などを配する必要があるため、この辺りが限度となる。
【００３４】
縦柱２０４，２０４の上端には上部ユニット３００を支持するために起立する上端柱２１２，２１２を固定してある。下端連結材２１０の底面は、床面Ｆに直接着地させてもよいが、本実施形態では、着脱することのできるベース部（設置構造、図示を省略）を介して下端連結材２１０（柱ユニット２００）を床面Ｆに設置するように構成してある。縦長の柱ユニット２００を直接設置するよりも、遥かに小型で背の低いベース部を床面Ｆに設置し、それに着脱するほうが楽に設置できるからである。なお、符号２５４は、柱ユニット２００の下端連結材２１０をカバーして見た目をよくするための下端カバー部材である。下端カバー部材２５４は、その素材の種類を問わないが、作り易く軽量であることから合成樹脂製とすることが好ましい。
【００３５】
図３および４に示す符号２１６は、膳板ユニット１０８を下から支持するための膳板支持アームである。膳板支持アーム２１６は、縦柱２０４から突き出す縦板片２１８と、図４の左方向から見たときに逆さＴ字になるように縦板片２１８の下端に固定した横板片２２０とにより構成してある。図４では裏側になって見えない部分の横板片２２０の上に膳板ユニット１０８を載置し、横板片２２０を貫通するネジ孔２２１，２２１(図４に破線で示す)を介して下から、さらに、隠れて見えないが縦柱２０４の背後（図４の右から左に向かって）からそれぞれネジ（図示を省略）で固定するようになっている。固定後に、図４に示す部分の横板片２２０の上に別の膳板ユニット１０８（図示を省略）を載置し同じ手順で固定する。
【００３６】
上述した膳板支持アーム２１６に加え、本実施形態では膳板補助アーム２２４を併用している。詳細は省略するが膳板補助アーム２２４は、腰板１０４の長手方向中央上端に着脱自在に取り付けた部材である。膳板補助アーム２２４を設けることにより、その上に載置した遊技機（図示を省略）の重量による撓みを抑えて安定した支持を可能とする。なお、膳板ユニット１０８を膳板支持アーム２１６だけで支持しきれるのであれば、膳板補助アーム２２４は省略できる。
【００３７】
（腰板支持構造の構成）
図２、４および５を参照しながら、腰板支持構造について説明する。腰板支持構造２３０は、縦柱２０４と、この縦柱２０４と隣接する他の縦柱２０４との間で腰板１０４を挟んだ状態で支持するための構造である。腰板支持構造２３０は、腰板対向部２３４、腰板支持部２３８、凸部２４２、凹部２４６および複数のネジ孔（ネジ孔群）２５０により構成してある。なお、図４において、腰板対向部２３４を見せるために腰板１０４を２点鎖線で、腰板１０４に形成された凹部２４６を破線で、腰板支持部２３８を厚み方向に貫通するネジ孔２５０を実線で、それぞれ示した。作図の便宜のためである。
【００３８】
腰板対向部２３４は、腰板１０４の側端面１０５（図５参照）と対向する、すなわち、向き合っている縦柱２０４の一部がこれに該当する。腰板支持部２３８は、腰板対向部２３４の内側（対向する縦柱に面する側）の周縁から腰板裏面に沿って突出する矩形の板片によって構成してある。具体的には、２枚合わせして構成してある縦柱２０４の一方と他方を、上から見たときにそれぞれ右と左に屈曲してＴ字形状に形成したものである（図５参照）。腰板支持部２３８の外形寸法は、腰板１０４を支持するという目的が達成出来る限り特別な制限はないが、本実施形態では、高さ約３０ｍｍ、幅約５０ｍｍに設定した。なお、図５に示す符号１０６は、腰板１０４の側端面１０５と腰板対向部２３４との間に介在させるアルミジョイナー（ジョイント部材）を示す。側端面１０５は、図５に示すように腰板対向部２３４と当接していなくてもよいが、その一部又は全部を腰板対向部２３４に当接させてもよい。
【００３９】
したがって、腰板１０４の側端面１０５を腰板対向部２３４に対向もしくは当接させることにより、腰板１０４の位置を遊技客の膝からさらに遠くすることができる。すなわち、長手方向に隣接する縦柱２０４同士は、図４および５に示すように、その間に腰板１０４を挟んだ状態で支持するため、腰板１０４の前面（遊技者側の面）が縦柱２０４の遊技者側周縁から突出しない。もしくは突出しても腰板１０４の厚みに比べて僅かである。このため、遊技機島の腰下領域を最大限、遊技客の下肢収容のために活用することができる。その分、遊技客にとってより快適な遊技環境をつくりだすことができる。
【００４０】
また、図４および５に示すように、凸部２４２は、腰板支持部２３８の上部から外方向（腰板１０４に向かう方向）に突出している。具体的には、腰板支持部２３８に固定した短尺円柱状のピンが凸部２４２に該当する。一方、凹部２４６は、凸部２４２に対応する位置の腰板１０４に形成してある。凹部２４６は、その中に凸部２４２を受け入れ可能に形成してあり、凸部２４２とともに凹凸嵌合構造２４０を構成する（図５参照）。凹凸嵌合構造２４０は、腰板１０４を挟む両側の柱ユニット２００（縦柱２０４）のそれぞれに設けてあり、それらの嵌合作用により腰板１０４の仮留めと位置出しを可能にする。つまり、これらの仮留めと位置出しの機能により、腰板１０４は両側にある縦柱２０４，２０４に宙づり状態で保持されるので、設置作業者は腰板１０４を持たずとも求める設置位置に合わせることができる。つまり、腰板１０４を持っている必要がないから、両手を完全に自由にすることができる。遊技機島ユニット１内部はたいへん込み合っていて作業がしにくいが、仮留めと位置出しの作用によって、作業環境が大幅に改善される。
【００４１】
さらに、凸部２４２の下方の腰板支持部２３８には、先に述べた複数のネジ孔２５０が縦方向に並べて形成してある（図４参照）。ネジ孔２５０は、腰板１０４を腰板支持部２３８にネジ固定するための孔である。仮留めした状態の腰板１０４の内側（作業者から見た裏側）には、先に述べた腰板支持部２３８が位置しているので、ネジ孔２５０にネジ（図示を省略）を差し込んで回すだけで縦柱２０４に対する腰板１０４のネジ固定が完了する。したがって、ネジ固定により腰板１０４と縦柱２０４（柱ユニット２００）との一体化が図られ、これにより縦柱２０４が補強され、座屈などの恐れが払しょくされる。換言すれば、補強されることによりその分だけ遊技機島幅方向の縦柱２０４の幅寸法を短くすることができる。つまり、細い縦柱で足りることになり、縦柱２０４が細くなった分、遊技機島の腰下領域を広くすることができる。なお、本実施形態の構成とは逆に、凸部２４２を腰板１０４側に設けるとともに凹部を腰板支持部２３８側に設けることを妨げない。
【００４２】
（遊技機島ユニットの設置手順）
図６、７および１の順に参照しながら、遊技機島ユニット１の設置手順について説明する。まず、図６に示すように、柱ユニット２００を長手方向所定間隔を隔てて遊技場の床面Ｆ上に設置する。先に述べたように、柱ユニット２００の設置は、それぞれベース部（図示を省略）を介して行う。すなわち、下端連結材２１０のそれぞれを下端カバー２５４で順次カバーするとともに、これと前後して仕切板１２０を柱ユニット２００の間に起立設置する。次いで、柱ユニット２００間の腰板支持構造２３０に腰板１０４を固定する。本実施形態における遊技機島ユニット１は通路間に挟まれた中島であるから、柱ユニット２００の間ごとに２枚ずつの腰板１０４を固定する。図７に示す遊技機島ユニット１の場合、４本の柱ユニット２００を備えているので、腰板１０４の枚数は６枚となる。腰板１０４の固定は、プライバシー確保とともに、過度の通風を抑えて膝の冷えなどを防止する機能を果たす。なお、腰板１０４の下端と遊技場の床面Ｆとの間には２０ｍｍ前後の爪先空間Ｇが形成される。爪先空間Ｇは、遊技客がそこに爪先（足先）を差し入れ、差し入れた分だけ膝を伸ばすことを可能にする。したがって、遊技客は、爪先を差し入れることのできない遊技客に比べ、はるかに快適な状態で疲れを知らずに遊技を楽しむことができる。また、爪先空間Ｇは、図７に示す遊技機島ユニット１の裏側にもあるが、仕切板１２０により表側の爪先空間Ｇとは仕切られ、両者間のプライバシーは守られる。
【００４３】
腰板１０４を取り付けたら、膳板補助アーム２２４をそれらの上に取り付ける。次に、これら膳板補助アーム２２４と膳板支持アーム２１６との上に膳板ユニット１０８を載置固定する（図１参照）。これで、下部ユニット１００の組み立てが完了する。なお、本実施形態における腰板１０４と他の腰板１０４との間の空間は、遊技機から排出されたアウト玉を腰板タンク（図示を省略）などに搬送するための搬送路（ドブともいう）にしてある。つまり、腰板１０４は、搬送路を仕切るための仕切壁としての機能を併せ持っている。
【００４４】
さらに、図８に示すように、上部ユニット３００は、正面から見て左右の縦部材３３０の上端には、笠木３５０を架け渡し、左右の縦部材３３０の下端には、鴨居３６０を架け渡すとともに、縦部材３３０と鴨居３６０の前面側には幕板３８０を開閉自在に設けてある。これらの各部材は、たとえば、集成材から構成することができる。これで、遊技機島ユニット１全体の組立が完了し、遊技機（図示を省略）を設置できる状態になる。
【００４５】
なお、壁島については、図９に示すように、壁島用の柱ユニット２０２の片側に下部ユニット１００を配置し、柱ユニット２００の片側に上部ユニット３００を配置して、壁島を構成すればよい。中島と基本的に同じ構成である。
【００４６】
（本実施形態の第１変形例）
図示は省略するが、膳板ユニット１０８のうち幅広膳板１１２は、これを省略して幅狭膳板１１６だけで構成することもできる。幅広膳板１１２を省略すると、幅狭膳板１１６の遊技者に面する端面である前面が、図外の遊技機前面と面一若しくは遊技機前面に対して遊技機の最大突起部よりも少ない突起量となる。また、膳板ユニット１０８の前面を遊技機の最大突起部よりも後退した状態にすることにより、その後退した分だけ遊技客が自由な空間を手に入れることができる。つまり、存在したらぶつかるであろう膳板がないので、そこに膝がぶつかることもなくなる。したがって、遊技客は椅子に座って足を組むことも組み替えることもできる。ゆえに、同じ姿勢を取り続けることの苦痛から解放され、遊技客はより快適に遊技を楽しむことができる。
【００４７】
（本実施形態の第２変形例）
図８に戻り、本実施形態の第２変形例について説明する。膳板ユニット１０８の下面の遊技機（図示を省略）下方にあたる位置に、煙草の吸殻を内蔵の搬送機構（図示を省略）の作用により搬送するケーシング１１８を設けることができる。ケーシング１１８には遊技機各々に対応する吸殻投入口１１９を設けてあり、ケーシング１１８は、膳板の長手方向（紙面垂直方向）に渡って伸び、その末端は、搬送した煙草の吸殻を回収する吸殻回収装置本体（図示を省略）に接続する。
【００４８】
本実施形態によれば、腰板１０４を遊技者から遠くしてあるので、膳板の下で腰板１０４の前に遊技者の膝が届かない領域が存在している。つまり、膝が届かないので、この領域であればケーシング１１８を設けることができる。また、遊技者はケーシング１１８に膝をぶつけないので、ケーシング１１８を設けても遊技者の負担となることはない。そして、吸殻投入口１１９を介してケーシング１１８内に投入された煙草の吸殻は搬送機構によって末端に搬送され、そこに接続された吸殻回収装置本体により回収される。
【符号の説明】
【００４９】
１          遊技機島ユニット
１００      下部ユニット
１０４      腰板
１０５      側端面
１０６      アルミジョイナー
１０８      膳板ユニット
１１２      幅広膳板
１１６      幅狭膳板
１１８      ケーシング
１１９      吸殻投入孔
１２０      仕切板
２００      柱ユニット
２０２      柱ユニット（壁島用）
２０４      縦柱
２０８ａ    中間連結材
２０８ｂ    中間連結材
２０８ｃ    中間連結材
２１０      下端連結材
２１６      膳板支持アーム
２１８      縦板片
２２０      横板片
２２１      ネジ孔
２２４      膳板補助アーム
２３０      腰板支持構造
２３４      腰板当接部
２３８      腰板支持部
２４０      凹凸嵌合構造
２４２      凸部
２４６      凹部
２５０      ネジ孔
２５４      下端カバー部材
３００      上部ユニット
３３０      縦部材
３５０      笠木
３６０      鴨居
３８０      幕板
１００１    遊技機島
１００３    腰板
１００５    膳板
１００７    ケーシング（吸殻回収装置）
Ｄ          距離
Ｆ          遊技場の床面
Ｇ          爪先空間
Ｍ          腿
Ｎ          膝
【図１】
0005571541.tif 000002
【図２】
0005571541.tif 000003
【図３】
0005571541.tif 000004
【図４】
0005571541.tif 000005
【図５】
0005571541.tif 000006
【図６】
0005571541.tif 000007
【図７】
0005571541.tif 000008
【図８】
0005571541.tif 000009
【図９】
0005571541.tif 000010
【図１０】
0005571541.tif 000011